(57)【要約】【課題】簡単な構造で、小型化およびコスト低減が可能な光電式煙センサを提供する。【解決手段】光電式煙センサ１は、検出対象の煙ＳＭに照射される照射信号光Ｌｓｆを発光する発光素子１１と、煙ＳＭから反射された反射信号光Ｌｓｒを受光する受光素子１２と、発光素子１１および受光素子１２が搭載された実装基板１０と、煙ＳＭが通る煙道ＳＲを実装基板１０との間に構成する内壁２１を有するケース部２０とを備える。発光素子１１および受光素子１２は、実装基板１０を挟む形態で実装基板１０の両面に分けて配置（実装）され、内壁２１との間に煙検出用領域１ｓを構成している。煙検出用領域１ｓは、発光素子１１の指向特性領域１１ｄおよび受光素子１２の指向特性領域１２ｄが重なる領域で画定されている。【選択図】図１
2010040006.tif 000002
【特許請求の範囲】
【請求項１】
検出対象の煙に照射される照射信号光を発光する発光素子と、煙から反射された反射信号光を受光する受光素子と、前記発光素子および前記受光素子が搭載された実装基板と、煙が通る煙道を前記実装基板との間に構成する内壁を有するケース部とを備える光電式煙センサであって、
前記発光素子および前記受光素子は、前記実装基板を挟む形態で両面に分けて配置され、前記内壁との間に煙検出用領域を構成していること
を特徴とする光電式煙センサ。
【請求項２】
請求項１に記載の光電式煙センサであって、
前記煙検出用領域は、前記発光素子の指向特性領域および前記受光素子の指向特性領域が重なる領域で画定されていることを特徴とする光電式煙センサ。
【請求項３】
請求項１または請求項２に記載の光電式煙センサであって、
前記実装基板の表面は、前記照射信号光に対して低透過率を有する材料で形成されたレジスト膜で被覆されていること
を特徴とする光電式煙センサ。
【請求項４】
請求項３に記載の光電式煙センサであって、
前記レジスト膜は、ベタパターンとしてあること
を特徴とする光電式煙センサ。
【請求項５】
請求項１ないし請求項４のいずれか一つに記載の光電式煙センサであって、
前記発光素子からの照射信号光が前記内壁で反射して前記受光素子へ入射することを抑制する遮光壁を備えること
を特徴とする光電式煙センサ。
【請求項６】
請求項５に記載の光電式煙センサであって、
前記遮光壁の先端は、鋭角を有する反射面としてあること
を特徴とする光電式煙センサ。
【請求項７】
請求項１ないし請求項６のいずれか一つに記載の光電式煙センサであって、
前記発光素子と前記煙検出用領域との間に配置された発光側偏光フィルタと、前記受光素子と前記煙検出用領域との間に配置された受光側偏光フィルタとを備えること
を特徴とする光電式煙センサ。
【請求項８】
請求項１ないし請求項７のいずれか一つに記載の光電式煙センサであって、
前記発光素子および前記受光素子は、前記実装基板の端面からの距離を変更できる位置決め手段によって前記実装基板に固定されていること
を特徴とする光電式煙センサ。
【請求項９】
請求項１ないし請求項７のいずれか一つに記載の光電式煙センサであって、
前記実装基板は、前記壁面からの距離を変更できる基板位置決め手段によって前記ケース部に固定されていること
を特徴とする光電式煙センサ。
【請求項１０】
光電式煙センサを備えた照明器具であって、
前記光電式煙センサは、請求項１ないし請求項９のいずれか一つに記載の光電式煙センサであること
を特徴とする照明器具。
【発明の詳細な説明】
【技術分野】
【０００１】
本発明は、発光素子および受光素子を実装した実装基板と、煙道を構成する内壁を有するケース部とを備える光電式煙センサ、このような光電式煙センサを搭載した照明器具に関する。
【背景技術】
【０００２】
従来、煙やほこりなどの検出を目的にした光電式煙センサ（あるいは、光電式ほこりセンサ）が提案されている（例えば、特許文献１、特許文献２参照）。光電式煙センサには赤外ＬＥＤとシリコンフォトダイオードを用いた反射型センサ、透過型センサなどが使用されている。光電式煙センサでは、発光素子、受光素子の配置に対する工夫、あるいは、筐体内部構造に外乱光除去や迷光除去の効果を持たせるための様々な工夫を施している。
【０００３】
例えば特許文献１に開示された光電式煙センサでは、発光素子を設けた発光部と、受光素子側へ光路を変更させて集光するプリズムレンズを設けた受光部とを所定の角度を持たせて配置し、発光部から受光部への直接の入光を遮光して光トラップとなる外乱遮光用支柱を筐体に設けている。
【０００４】
また、筐体の周囲にはラビリンス壁を配置し、内部には粗面加工を施して外乱光や迷光の影響を低減させ、温度変化などの環境変化にたいする特性変動を小さくしている。
【０００５】
しかしながら、プリズムレンズを用いた光路変更は筐体内部の反射光の影響を避けるために、筐体底部や蓋部から光軸を離す必要がある。したがって、筐体の薄型化が阻害され、光電式煙センサの用途や使用場所に制限が加えられることとなる。また、筐体が大型化すること、また、プリズムレンズが必要となることといったコスト増大要因を有するという問題がある。
【０００６】
つまり、従来の拡散反射光を用いた光電式煙センサのように光軸を斜めに配置する光学系では発光素子の前方に筐体が存在すると、筐体の内壁による反射が生じて受光素子に対する影響が大きくなることから筐体内部を広くして反射による影響を抑制する必要がある。すなわち、光電式煙センサの筐体（センサ本体）が大型になってしまうという問題がある。
【０００７】
しかし、筐体からの反射を低減しければ、煙による拡散反射光に対して、他の外乱光や内部反射光が受光素子に入射してしまい、煙検知の精度を低下させることとなる。また、精度の低下だけでなく、温度変化や外乱光などの周囲環境変化に弱い光電式煙センサとなってしまう。さらに、プリズムレンズなどの光学部品の使用や筐体の大型化はコスト増加をもたらすという問題がある。
【特許文献１】特開平９−２３１４８５号公報
【特許文献２】特開平８−１３６４５６号公報
【発明の開示】
【発明が解決しようとする課題】
【０００８】
本発明はこのような状況に鑑みてなされたものであり、発光素子および受光素子が搭載された実装基板と、煙が通る煙道を実装基板との間に構成する内壁を有するケース部とを備える光電式煙センサであって、発光素子および受光素子は、実装基板を挟む形態で両面に分けて配置され、内壁との間に煙検出用領域を構成していることにより、発光素子および受光素子の実装に必要な実装基板の面積を縮小し、簡単な構造で、小型化およびコスト低減が可能な光電式煙センサを提供することを目的とする。
【０００９】
また、本発明は、本発明に係る光電式煙センサを搭載する照明器具とすることにより、光電式煙センサを容易かつ安価に設置することが可能な照明器具を提供することを他の目的とする。
【課題を解決するための手段】
【００１０】
本発明に係る光電式煙センサは、検出対象の煙に照射される照射信号光を発光する発光素子と、煙から反射された反射信号光を受光する受光素子と、前記発光素子および前記受光素子が搭載された実装基板と、煙が通る煙道を前記実装基板との間に構成する内壁を有するケース部とを備える光電式煙センサであって、前記発光素子および前記受光素子は、前記実装基板を挟む形態で両面に分けて配置され、前記内壁との間に煙検出用領域を構成していることを特徴とする。
【００１１】
この構成により、発光素子および受光素子を同一平面上に並置する必要がないことから、発光素子および受光素子の実装に必要な実装基板の面積を縮小し、簡単な構造で、小型化、高精度化、およびコスト低減が可能な光電式煙センサとすることができる。
【００１２】
また、本発明に係る光電式煙センサでは、前記煙検出用領域は、前記発光素子の指向特性領域および前記受光素子の指向特性領域が重なる領域で画定されていることを特徴とする。
【００１３】
この構成により、発光素子の指向特性領域および受光素子の指向特性領域に応じて煙検出用領域を画定することが可能となることから、容易かつ高精度に煙検出用領域を特定することが可能となり、高精度に煙検出が可能な光電式煙センサとすることができる。
【００１４】
また、本発明に係る光電式煙センサでは、前記実装基板の表面は、前記照射信号光に対して低透過率を有する材料で形成されたレジスト膜で被覆されていることを特徴とする。
【００１５】
この構成により、発光素子から発光した照射信号光が実装基板を透過して受光素子に直接的に入射することを抑制できることから、発光素子から受光素子への煙と無関係なノイズ（煙から反射した反射信号光以外の光：迷光）の入射を排除して検出精度を向上させることができる。
【００１６】
また、本発明に係る光電式煙センサでは、前記レジスト膜は、ベタパターンとしてあることを特徴とする。
【００１７】
この構成により、発光素子から受光素子へのノイズを確実に抑制することが可能となる。
【００１８】
また、本発明に係る光電式煙センサでは、前記発光素子からの照射信号光が前記内壁で反射して前記受光素子へ入射することを抑制する遮光壁を備えることを特徴とする。
【００１９】
この構成により、内壁で反射して煙の検出とは無関係に受光素子へ入射するノイズ（迷光）の発生を防止することが可能となり、検出精度を向上させることができる。
【００２０】
また、本発明に係る光電式煙センサでは、前記遮光壁の先端は、鋭角を有する反射面としてあることを特徴とする。
【００２１】
この構成により、内壁による迷光を確実に防止することが可能となり、検出精度をさらに向上させることができる。
【００２２】
また、本発明に係る光電式煙センサでは、前記発光素子と前記煙検出用領域との間に配置された発光側偏光フィルタと、前記受光素子と前記煙検出用領域との間に配置された受光側偏光フィルタとを備えることを特徴とする。
【００２３】
この構成により、信号光（照射信号光）を偏光することが可能となることから、信号光（反射信号光）と外来光（迷光）とを明確に区別することが可能となり、容易に検出精度を向上させることができる。
【００２４】
また、本発明に係る光電式煙センサでは、前記発光素子および前記受光素子は、前記実装基板の端面からの距離を変更できる位置決め手段によって前記実装基板に固定されていることを特徴とする。
【００２５】
この構成により、実装基板上での発光素子および受光素子の位置を変更することが可能となることから、実装基板の端面からの距離に応じて煙検出用領域の範囲を変更することが可能となり、必要に応じた検出精度を設定することができる。
【００２６】
また、本発明に係る光電式煙センサでは、前記実装基板は、前記壁面からの距離を変更できる基板位置決め手段によって前記ケース部に固定されていることを特徴とする。
【００２７】
この構成により、ケース部（内壁）に対する発光素子および受光素子の位置を変更することが可能となることから、ケース部（内壁）からの距離に応じて煙検出用領域の範囲を変更することが可能となり、同一形状のケース部を適用した場合でも必要に応じた検出精度を設定することができる。
【００２８】
また、本発明に係る照明器具は、光電式煙センサを備えた照明器具であって、前記光電式煙センサは、本発明に係る光電式煙センサであることを特徴とする。
【００２９】
この構成により、照明器具の取り付けによって光電式煙センサも同時に設置することが可能となることから、光電式煙センサを別途取り付ける必要がなくなり、光電式煙センサの設置のための個別の手間を省略して、容易かつ安価に光電式煙センサを設置することができ、また、天井などの外観を維持することが可能となる。
【発明の効果】
【００３０】
本発明に係る光電式煙センサによれば、検出対象の煙に照射される照射信号光を発光する発光素子と、煙から反射された反射信号光を受光する受光素子と、発光素子および受光素子が搭載された実装基板と、煙が通る煙道を実装基板との間に構成する内壁を有するケース部とを備える光電式煙センサであって、発光素子および受光素子は、実装基板を挟む形態で両面に分けて配置され、内壁との間に煙検出用領域を構成していることから、発光素子および受光素子を同一平面上に並置する必要がなくなり、発光素子および受光素子の実装に必要な実装基板の面積を縮小し、簡単な構造で、小型化、高精度化、およびコスト低減が可能な光電式煙センサとすることができるという効果を奏する。
【００３１】
また、本発明に係る照明器具によれば、光電式煙センサを備えた照明器具であって、光電式煙センサは、本発明に係る光電式煙センサであることから、照明器具の取り付けによって光電式煙センサも同時に設置することが可能となり、光電式煙センサを別途取り付ける必要がなくなり、光電式煙センサの設置のための個別の手間を省略して、容易かつ安価に光電式煙センサを設置することができ、また、天井などの外観を維持することが可能となるという効果を奏する。
【発明を実施するための最良の形態】
【００３２】
以下、本発明の実施の形態を図面に基づいて説明する。
【００３３】
＜実施の形態１＞
図１に基づいて、本実施の形態に係る光電式煙センサについて説明する。
【００３４】
図１は、本発明の実施の形態１に係る光電式煙センサの構成を透視的に示す透視側面図である。
【００３５】
本実施の形態に係る光電式煙センサ１は、検出対象の煙ＳＭに照射される照射信号光Ｌｓｆを発光する発光素子１１と、煙ＳＭから反射された反射信号光Ｌｓｒを受光する受光素子１２と、発光素子１１および受光素子１２が搭載された実装基板１０と、煙ＳＭが通る煙道ＳＲを実装基板１０との間に構成する内壁２１を有するケース部２０とを備える。
【００３６】
発光素子１１および受光素子１２は、実装基板１０を挟む形態で実装基板１０の両面に分けて配置（実装）され、内壁２１との間に煙検出用領域１ｓを構成している。
【００３７】
したがって、発光素子１１および受光素子１２を同一平面上に並置する必要がないことから、発光素子１１および受光素子１２の実装に必要な実装基板１０の面積を縮小し、簡単な構造で、小型化、高精度化、およびコスト低減が可能な光電式煙センサ１とすることができる。なお、発光素子１１、受光素子１２の実装形態は、表面実装形態とすることが薄型化、実装工程の簡略化の観点から好ましい。
【００３８】
煙検出用領域１ｓは、発光素子１１の指向特性領域１１ｄおよび受光素子１２の指向特性領域１２ｄが重なる領域で画定されている。したがって、発光素子１１の指向特性領域１１ｄおよび受光素子１２の指向特性領域１２ｄに応じて煙検出用領域１ｓを画定することが可能となることから、容易かつ高精度に煙検出用領域１ｓを特定することが可能となり、高精度に煙検出が可能な光電式煙センサ１とすることができる。
【００３９】
発光素子１１は、ＬＥＤ（Ｌｉｇｈｔ  Ｅｍｉｔｔｉｎｇ  Ｄｉｏｄｅ：発光ダイオード）を適用して構成することが可能である。また、受光素子１２は、発光素子１１の発光波長に対応する波長特性を有するフォトダイオード、フォトトランジスタなどを適用して構成することが可能である。発光素子１１および受光素子１２を実装基板１０の両面に分離して配置することにより、単一平面上に並置して実装した場合に比較して平面の面積を半分に抑制することが可能となり、光電式煙センサ１を面積的に小型化することが可能である。
【００４０】
発光素子１１の指向特性領域１１ｄ、受光素子１２の指向特性領域１２ｄは、それぞれ実装基板１０の平面に対して平行方向へ向けて配置されている。したがって、ケース部２０が構成する煙道ＳＲで指向特性領域１１ｄおよび指向特性領域１２ｄを交差させ、交差領域を煙検出用領域１ｓとすることによって煙ＳＭの検出を行うことが可能である。
【００４１】
つまり、煙検出用領域１ｓに煙ＳＭが存在した場合、煙検出用領域１ｓに照射された照射信号光Ｌｓｆは、煙ＳＭに内在する微粒子（不図示）により反射され反射信号光Ｌｓｒを生成する。したがって、指向特性領域１２ｄに対応する範囲の内、煙検出用領域１ｓで発生した反射信号光Ｌｓｒは、受光素子１２によって検出され、煙検出を行うことが可能となる。
【００４２】
発光素子１１は指向特性領域１１ｄを有している。しかし、発光素子１１のパッケージ、内壁２１などによる屈折、反射によって指向特性領域１１ｄの範囲外への照射信号光Ｌｓｆｎも発生している。指向特性領域１１ｄの範囲外への照射信号光Ｌｓｆｎは、反射によって全方位へ放射されることがある。つまり、光電式煙センサ１の小型化に伴い、照射信号光Ｌｓｆｎ（迷光Ｌｎ）が実装基板１０を透過し、煙ＳＭの検出とは無関係に受光素子１２へ入射し、迷光Ｌｎとなる恐れがある。
【００４３】
迷光Ｌｎを防止するため、本実施の形態に係る光電式煙センサ１では、実装基板１０の表面は、照射信号光Ｌｓｆに対して低透過率を有する材料で形成されたレジスト膜１０ｒで被覆されている。したがって、発光素子１１から発光した照射信号光Ｌｓｆ（例えば、照射信号光Ｌｓｆｎ）が実装基板１０を透過して受光素子１２に直接的に入射することを抑制できることから、発光素子１１から受光素子１２への煙ＳＭと無関係なノイズ（煙ＳＭから反射した反射信号光Ｌｓｒ以外の光：迷光Ｌｎ）の入射を排除して検出精度を向上させることができる。
【００４４】
なお、発光素子１１が発光する照射信号光Ｌｓｆの波長は例えば可視光領域であり、発光素子１１ｒは、例えば一般的な黒色のソルダーレジストを適用することが可能である。
【００４５】
また、発光素子１１ｒは、実装基板１０の発光素子１１側、あるいは受光素子１２側のいずれか一方に形成してあれば良い。実装基板１０の両面を被覆することによって、発光素子１１から受光素子１２へ直接的に入射する迷光Ｌｎを確実に抑制することが可能となる。
【００４６】
また、レジスト膜１０ｒは、実装基板１０の迷光Ｌｎの影響が考えられる領域を被覆するベタパターンとしてある。したがって、発光素子１１から受光素子１２へのノイズ（迷光Ｌｎ）を確実に抑制することが可能となる。
【００４７】
＜実施の形態２＞
図２に基づいて、本実施の形態に係る光電式煙センサについて説明する。なお、本実施の形態に係る光電式煙センサの基本構成は、実施の形態１に係る光電式煙センサ１と同様であるので、符号を援用して主に異なる事項について説明する。
【００４８】
図２は、本発明の実施の形態２に係る光電式煙センサの概略構成を示す説明図であり、（Ａ）は遮光壁の構成を示す側面図、（Ｂ）は遮光壁の無い場合のノイズ状態を説明する側面図である。
【００４９】
本実施の形態に係る光電式煙センサ１では、発光素子１１からの照射信号光Ｌｓｆが内壁２１で反射して受光素子１２へ入射することを抑制する遮光壁２２を備える。内壁２１によって反射を生じるような例えば照射信号光Ｌｓｆｎは、遮光壁２２によって、受光素子１２への反射信号光Ｌｓｒとは異なる方向へ反射される。
【００５０】
したがって、内壁２１で反射して煙ＳＭ（図１参照）の検出とは無関係に受光素子１２へ入射するノイズ（迷光Ｌｎ（図２（Ｂ）参照））の発生を防止することが可能となり、検出精度を向上させることができる。
【００５１】
図２（Ｂ）では、遮光壁２２が存在しない場合に迷光Ｌｎが発生した状態を示している。つまり、遮光壁２２が存在しないことから、小型化に伴い、発光素子１１から煙検出用領域１ｓへ照射された照射信号光Ｌｓｆの一部は、内壁２１によって反射され、そのまま直接受光素子１２へ入射される迷光Ｌｎとなる。煙ＳＭの有無に無関係に煙信号として検出され、光電式煙センサ１の検出精度を低下させ、検出誤りを生じる恐れがある。したがって、迷光Ｌｎを抑制する必要がある。
【００５２】
本実施の形態では、遮光壁２２を煙検出用領域１ｓに対応させて内壁２１に配置することによって煙ＳＭの検出とは無関係に受光素子１２へ入射される迷光Ｌｎ（内壁２１で反射して発生する反射信号光Ｌｓｒ）の発生を防止することが可能である。受光素子１２に向けた反射信号光Ｌｓｒを発生する位置の内壁２１に対応させて遮光壁２２を配置することによって、高精度の煙検出を行う光電式煙センサ１を構成することができる。
【００５３】
また、遮光壁２２の先端は、鋭角（反射面２２ｒで構成される角度θ）を有する反射面２２ｒとしてある。したがって、内壁２１による迷光Ｌｎを確実に防止することが可能となり、検出精度をさらに向上させることができる。
【００５４】
つまり、遮光壁２２の先端を平面ではなく、鋭角とすることによって、照射信号光Ｌｓｆを受光素子１２の方向に対してずらした方向へ反射させることが可能となる。また、遮光壁２２の先端部による受光素子１２側への反射を防止して、迷光Ｌｎの発生を抑制することができる。
【００５５】
＜実施の形態３＞
図３に基づいて、本実施の形態に係る光電式煙センサについて説明する。なお、本実施の形態に係る光電式煙センサの基本構成は、実施の形態１、実施の形態２に係る光電式煙センサ１と同様であるので、符号を援用して主に異なる事項について説明する。
【００５６】
図３は、本発明の実施の形態３に係る光電式煙センサの概略構成を示す側面図である。
【００５７】
本実施の形態に係る光電式煙センサ１では、発光素子１１と煙検出用領域１ｓとの間に配置された発光側偏光フィルタ１１ｆと、受光素子１２と煙検出用領域１ｓとの間に配置された受光側偏光フィルタ１２ｆとを備える。
【００５８】
したがって、信号光Ｌｓ（照射信号光Ｌｓｆ、反射信号光Ｌｓｒ。照射信号光Ｌｓｆ、反射信号光Ｌｓｒを区別する必要が無い場合には、単に信号光Ｌｓとする。）を偏光することが可能となることから、信号光Ｌｓ（反射信号光Ｌｓｒ）と外来光Ｌｎ（迷光Ｌｎ）とを明確に区別することが可能となり、容易に検出精度を向上させることができる。
【００５９】
なお、発光側偏光フィルタ１１ｆおよび受光側偏光フィルタ１２ｆは、同じ種類の偏光フィルタとすることによって、外来光Ｌｎ（迷光Ｌｎ）と煙ＳＭから反射して受光素子１２に入射してくる反射信号光Ｌｓｒとを区別することが可能となる。したがって、迷光Ｌｎが受光素子１２へ入射されないようにし、受光素子１２で検出される反射信号光ＬｓｒのＳ／Ｎ比を向上させることが可能となる。
【００６０】
＜実施の形態４＞
図４に基づいて、本実施の形態に係る光電式煙センサについて説明する。なお、本実施の形態に係る光電式煙センサの基本構成は、実施の形態１ないし実施の形態３に係る光電式煙センサ１と同様であるので、符号を援用して主に異なる事項について説明する。
【００６１】
図４は、本発明の実施の形態４に係る光電式煙センサの概略構成を示す説明図であり、（Ａ）は発光素子および受光素子の実装基板の端面からの距離を短くした場合、（Ｂ）は発光素子および受光素子の実装基板の端面からの距離を長くした場合である。
【００６２】
本実施の形態に係る光電式煙センサ１では、発光素子１１および受光素子１２は、実装基板１０の端面からの距離Ｄｔ（同図（Ａ）の場合は距離Ｄｔ１、同図（Ｂ）の場合は距離Ｄｔ２。距離Ｄｔ１および距離Ｄｔ２を区別する必要が無い場合は、単に距離Ｄｔとする。）を変更できる位置決め手段１０ｐによって実装基板１０に固定されている。
【００６３】
なお、実装基板１０の端面からの距離Ｄｔは、位置決め手段１０ｐの実装基板１０の端面からの位置を表すが、発光素子１１の先端と実装基板１０の端面との距離Ｄｔｄ（同図（Ａ）の場合は距離Ｄｔｄ１、（Ｂ）の場合は距離Ｄｔｄ２。距離Ｄｔｄ１および距離Ｄｔｄ２を区別する必要が無い場合は、単に距離Ｄｔｄとする。）としても表すことが可能であり、距離Ｄｔおよび距離Ｄｔｄは実質的に等価である。
【００６４】
同図（Ａ）の場合の距離（つまり距離Ｄｔ１（Ｄｔｄ１））は、同図（Ｂ）の場合の距離（つまり距離Ｄｔ２（Ｄｔｄ２））に比較して短いことから、指向特性領域１１ｄ１（１１ｄ）および指向特性領域１２ｄ１（１２ｄ）を、指向特性領域１１ｄ２（１１ｄ）および指向特性領域１２ｄ２（１２ｄ）に比較して大きくすることが可能となる。したがって、煙検出用領域１ｓ１（１ｓ）を煙検出用領域１ｓ２（１ｓ）より大きくすることが可能である。
【００６５】
光電式煙センサ１の煙検出用領域１ｓを変更することが可能となることから、光電式煙センサ１の煙検出精度を変更することが可能となる。具体的には、同図（Ａ）の場合は、煙検出用領域１ｓが広いことから微弱な煙ＳＭであっても検出することが可能となり、同図（Ｂ）の場合は、煙検出用領域１ｓが狭いことから大量の煙ＳＭの場合に適合させることができる。
【００６６】
つまり、本実施の形態に係る光電式煙センサ１では、実装基板１０上での発光素子１１および受光素子１２の位置を変更することが可能となることから、実装基板１０の端面からの距離Ｄｔに応じて煙検出用領域１ｓの範囲を変更することが可能となり、必要に応じた検出精度を設定することができる。
【００６７】
なお、位置決め手段１０ｐは、具体的には、例えば発光素子１１および受光素子１２が有する実装用接続端子、実装基板１０上に形成された配線パターンとすることが可能であり、実装用接続端子および配線パターンを適宜の位置で半田付けすることによって、距離Ｄｔを確定することができる。
【００６８】
本実施の形態によれば、発光素子１１および受光素子１２の実装基板１０での位置を変更するだけで、指向特性領域１１ｄおよび指向特性領域１２ｄ（つまり、煙検出用領域１ｓ）を変更することが可能となり、特別な光学部材を必要としないことから、安価に高精度化を施すことが可能となる。
【００６９】
＜実施の形態５＞
図５に基づいて、本実施の形態に係る光電式煙センサについて説明する。なお、本実施の形態に係る光電式煙センサの基本構成は、実施の形態１ないし実施の形態４に係る光電式煙センサ１と同様であるので、符号を援用して主に異なる事項について説明する。
【００７０】
図５は、本発明の実施の形態５に係る光電式煙センサの概略構成を示す説明図であり、（Ａ）は実装基板の内壁からの距離を長くした場合、（Ｂ）は実装基板の内壁からの距離を短くした場合である。
【００７１】
本実施の形態に係る光電式煙センサ１では、実装基板１０は、壁面からの距離Ｄｗ（同図（Ａ）の場合は距離Ｄｗ１、同図（Ｂ）の場合は距離Ｄｗ２。距離Ｄｗ１および距離Ｄｗ２を区別する必要が無い場合は、単に距離Ｄｗとする。）を変更できる基板位置決め手段３０によってケース部２０に固定されている。
【００７２】
同図（Ａ）の場合の距離（つまり距離Ｄｗ１）は、同図（Ｂ）の場合の距離（つまり距離Ｄｗ２）に比較して長いことから、指向特性領域１１ｄ１（１１ｄ）および指向特性領域１２ｄ１（１２ｄ）を、指向特性領域１１ｄ２（１１ｄ）および指向特性領域１２ｄ２（１２ｄ）に比較して大きくすることが可能となる。したがって、煙検出用領域１ｓ１（１ｓ）を煙検出用領域１ｓ２（１ｓ）より大きくすることが可能である。
【００７３】
つまり、本実施の形態に係る光電式煙センサ１では、ケース部２０（内壁２１）に対する発光素子１１および受光素子１２の位置を変更することが可能となることから、ケース部２０（内壁２１）からの距離Ｄｗに応じて煙検出用領域１ｓの範囲を変更することが可能となり、同一形状のケース部２０を適用した場合でも必要に応じた検出精度を設定することができる。
【００７４】
なお、基板位置決め手段３０は、具体的には、実装基板１０をケース部２０に係合して固定する治具、あるいは実装基板１０を固定するためにケース部２０に形成された嵌合溝などで構成することが可能である。
【００７５】
本実施の形態によれば、発光素子１１および受光素子１２が実装された実装基板１０と、ケース部２０との間の距離を変更するだけで、指向特性領域１１ｄおよび指向特性領域１２ｄ（つまり、煙検出用領域１ｓ）を変更することが可能となり、特別な光学部材を必要としないことから、安価に高精度化を施すことが可能となる。
【００７６】
＜実施の形態６＞
図６に基づいて、本実施の形態に係る照明器具について説明する。なお、本実施の形態に係る照明器具は、実施の形態１ないし実施の形態５に係る光電式煙センサ１を搭載しているので、符号を援用して説明は省略する。
【００７７】
図６は、本発明の実施の形態６に係る照明器具の概略構成を透視的に示す透視側面図である。
【００７８】
本実施の形態に係る照明器具２は、例えば器具ケース２ｃ、光源２ｓを備え、例えば天井３に吊り下げてある。また、照明器具２は、実施の形態１ないし実施の形態５に係る光電式煙センサ１を備えている。光電式煙センサ１は、煙道ＳＲによって光電式煙センサ１に導入された煙ＳＭ（図１参照）を検出することが可能となる。
【００７９】
つまり、照明器具２の取り付けによって光電式煙センサ１も同時に設置することが可能となることから、光電式煙センサ１を別途取り付ける必要がなくなり、光電式煙センサ１の設置のための個別の手間を省略して、容易かつ安価に光電式煙センサ１を設置することができる。
【００８０】
また、光電式煙センサ１を照明器具２と一体化することにより、天井３など室内の外観を維持し、室内の外観悪化を防止することが可能となる。つまり、光電式煙センサ１を室内に取り付ける場合に、室内外観への影響を防止することが可能となる。また、光電式煙センサ１を取り付ける作業、工数を除外することができる。
【００８１】
本実施の形態に係る照明器具２では、光電式煙センサ１の電源を照明器具２と同様の電源から得ることが可能となり、電源を別途配置する必要がなく、従来必要であった電池交換などの長期間でのメンテナンスが不要となる。
【図面の簡単な説明】
【００８２】
【図１】本発明の実施の形態１に係る光電式煙センサの構成を透視的に示す透視側面図である。
【図２】本発明の実施の形態２に係る光電式煙センサの概略構成を示す説明図であり、（Ａ）は遮光壁の構成を示す側面図、（Ｂ）は遮光壁の無い場合のノイズ状態を説明する側面図である。
【図３】本発明の実施の形態３に係る光電式煙センサの概略構成を示す側面図である。
【図４】本発明の実施の形態４に係る光電式煙センサの概略構成を示す説明図であり、（Ａ）は発光素子および受光素子の実装基板の端面からの距離を短くした場合、（Ｂ）は発光素子および受光素子の実装基板の端面からの距離を長くした場合である。
【図５】本発明の実施の形態５に係る光電式煙センサの概略構成を示す説明図であり、（Ａ）は実装基板の内壁からの距離を長くした場合、（Ｂ）は実装基板の内壁からの距離を短くした場合である。
【図６】本発明の実施の形態６に係る照明器具の概略構成を透視的に示す透視側面図である。
【符号の説明】
【００８３】
１  光電式煙センサ
１ｓ、１ｓ１、１ｓ２  煙検出用領域
２  照明器具
２ｃ  器具ケース
２ｓ  光源
３  天井
１０  実装基板
１０ｒ  レジスト膜
１０ｐ  位置決め手段
１１  発光素子
１１ｄ、１１ｄ１、１１ｄ２  指向特性領域
１１ｆ  発光側偏光フィルタ
１２  受光素子
１２ｄ、１２ｄ１、１２ｄ２  指向特性領域
１２ｆ  受光側偏光フィルタ
２０  ケース部
２１  内壁
２２  遮光壁
２２ｒ  反射面
３０  基板位置決め手段
Ｄｔ、Ｄｔ１、Ｄｔ２  距離
Ｄｔｄ、Ｄｔｄ１、Ｄｔｄ２  距離
Ｄｗ、Ｄｗ１、Ｄｗ２  距離
Ｌｎ  迷光
Ｌｓｆ  照射信号光
Ｌｓｒ  反射信号光
Ｌｓ信号光（照射信号光、反射信号光）
ＳＲ  煙道
ＳＭ  煙
【図１】
2010040006.tif 000003
【図２】
2010040006.tif 000004
【図３】
2010040006.tif 000005
【図４】
2010040006.tif 000006
【図５】
2010040006.tif 000007
【図６】
2010040006.tif 000008